(57)【要約】  【課題】共用廊下に面する玄関まわりに、袖壁を容易に取り付け及び取外しができるようにする。  【解決手段】袖壁１を軽量発泡コンクリートからなる第１側面部材１１、第２側面部材１２及びＬ字断面部材１３とで構成し、これらの部材の上端面１１ｂ等及び下端面１１ｅ等を、それぞれ上金具１４及び下金具１５を介して、玄関３１の外側の天井３１ｂ及び床面３１ｃにボルト止めする。第２側面部材１２は、中間金具１６を介して、第１側面部材１１とＬ字断面部材１３とにボルト止めする。第１側面部材１１、第２側面部材１２及びＬ字断面部材１３の外側面には、それぞれ化粧パネル１８を貼着する。【選択図】図４
2010285790.tif 000002
【特許請求の範囲】
【請求項１】
共用廊下に面する住戸の玄関の扉の側部に設けられる袖壁であって、
上記袖壁は、上記玄関の外側の天井と床面との間において、上記住戸の外壁に突設され、
上記袖壁は、それぞれ軽量発泡コンクリートからなる平板状の第１側面部材と、この第１側面部材に所定の間隔を隔てて対向する平板状の第２側面部材と、これらの第１側面部材及び第２側面部材の先端面にそれぞれ対向するＬ字断面部材とを備え、
上記第１側面部材及びＬ字断面部材の上端面は、この第１側面部材の上端部の内側面及びＬ字断面部材の足部の上端部の内側面に設けた上金具を介して、上記玄関の外側の天井にボルト止めされ、
上記第１側面部材及びＬ字断面部材の下端面は、この第１側面部材の下端部の内側面及びＬ字断面部材の足部の下端部の内側面に設けた下金具を介して、上記玄関の外側の床面にボルト止めされ、
上記第２側面部材は、上記第１側面部材の内側面と上記Ｌ字断面部材の足部の内側面とにボルト止めされた中間金具を介して、この第２側面部材の外側面から貫通する貫通ボルトによって取り付けられる
ことを特徴とする集合住宅の玄関の袖壁。
【請求項２】
請求項１において上記上金具は、上記第１側面部材及びＬ字断面部材の足部の上端面と内側面との角部に位置する上定規アングル材と、この第１側面部材及びＬ字断面部材の足部の内側面に、それぞれボルト止めされた上稲妻プレートとを備え、
上記上定規アングル材の垂直部分は、上記上稲妻プレートと上記第１側面部材及びＬ字断面部材の足部の内側面との間に挟持されると共に、この上稲妻プレートに溶接止めされ、
上記上定規アングル材の水平部分は、上記玄関の外側の天井にボルト止めされており、
上記下金具は、上記第１側面部材及びＬ字断面部材の足部の下端面と内側面との角部に位置する下定規アングル材と、この第１側面部材及びＬ字断面部材の足部の内側面に、それぞれボルト止めされた下稲妻プレートと、上記玄関の外側の床面にボルト止めされたベースアングル材とを備え、
上記下定規アングル材の垂直部分は、上記下稲妻プレートと上記第１側面部材及びＬ字断面部材の足部の内側面との間に挟持されると共に、この下稲妻プレートの上端部に溶接止めされ、
上記下定規アングル材の水平部分は、上記床面に突設された突条部の上面に搭載され、
上記下定規アングル材の垂直部分は、上記ベースアングル材の垂直部分に溶接止めされる
ことを特徴とする集合住宅の玄関の袖壁。
【請求項３】
請求項１または２のいずれかにおいて、上記第１側面部材、第２側面部材、及びＬ字断面部材の外側面には、それぞれ化粧パネルが貼着されている
ことを特徴とする集合住宅の玄関の袖壁。
【発明の詳細な説明】
【技術分野】
【０００１】
本発明は、集合住宅の玄関の袖壁に関する。
【背景技術】
【０００２】
マンション等の集合住宅では、図７に示すとおり、共用廊下４０２に面して各住戸４０３の玄関４３１および窓が配置されるのが一般的で、これらの住戸が、この共用廊下に面して連続的に配列されると、単調でかつ隣戸との見分けが付きにくいという問題がある。また、共用廊下４０２に面する居室の空調用の室外機を窓下に置いたりすると見栄えが好ましくないといった問題もある。
【０００３】
そこで、図８に示すとおり、玄関５３１の扉の一側辺の近傍に、袖壁５０１を設ける手法が用いられる。この手法によれば、袖壁５０１によって玄関前スペースを空間的に創出でき、合わせてこの袖壁に装飾することで、個性を表現することが可能になる。また、袖壁５０１によって空調用の室外機置場を空間的に創出でき、実際に空調用室外機を居室の窓下に置いても見栄え良く配置できる。なお図８に示す袖壁５０１は、玄関５３１や窓を構成する外壁５３２と一体的に設けられるものであり、通常は鉄筋コンクリートで形成される。
【０００４】
ところで今日における需要者のニーズの多様化に伴い、マンション等の集合住宅においても、住戸の形状やデザイン等について、個々の居住者の希望に適うものを選択できることが強く求められている。このため各住戸の顔ともいえる玄関まわりの形状やデザイン等についても、個々の居住者の希望に適うものを選択できることが望ましい。
【発明の概要】
【発明が解決しようとする課題】
【０００５】
しかるに集合住宅においては、床、天井、柱、梁、外壁、境界壁、及び共用廊下等の基本構造は、建物の耐震性など基本性能にかかわる部分であり、施工着手後の変更は多大な困難を伴うため、通常は変更できない。そして、建物の耐震性等に影響のない袖壁であっても、外壁と一体的に形成された袖壁は、形状やデザインの変更が困難である。
【０００６】
そこで本発明の目的は、共用廊下に面する玄関まわりに、容易に取り付け及び取外しができる袖壁を提供することにある。
【課題を解決するための手段】
【０００７】
上記課題を解決すべく、本発明による集合住宅の玄関の袖壁は、共用廊下に面する住戸の玄関の扉の側部に設けられる袖壁であって、この袖壁は、この玄関の外側の天井と床面との間において、この住戸の外壁に突設される。上記袖壁は、それぞれ軽量発泡コンクリートからなる平板状の第１側面部材と、この第１側面部材に所定の間隔を隔てて対向する平板状の第２側面部材と、これらの第１側面部材及び第２側面部材の先端面にそれぞれ対向するＬ字断面部材とを備えている。
【０００８】
上記第１側面部材及びＬ字断面部材の上端面は、この第１側面部材の上端部の内側面及びＬ字断面部材の足部の上端部の内側面に設けた上金具を介して、上記玄関の外側の天井にボルト止めされる。上記第１側面部材及びＬ字断面部材の下端面は、この第１側面部材の下端部の内側面及びＬ字断面部材の足部の下端部の内側面に設けた下金具を介して、上記玄関の外側の床面にボルト止めされる。そして上記第２側面部材は、上記第１側面部材の内側面と上記Ｌ字断面部材の足部の内側面とにボルト止めされた中間金具を介して、この第２側面部材の外側面から貫通する貫通ボルトによって取り付けられることを特徴とする。
【０００９】
上記上金具と下金具とは、次のように構成することが望ましい。すなわち上記上金具は、上記第１側面部材及びＬ字断面部材の足部の上端面と内側面との角部に位置する上定規アングル材と、この第１側面部材及びＬ字断面部材の足部の内側面に、それぞれボルト止めされた上稲妻プレートとを備えている。上記上定規アングル材の垂直部分は、上記上稲妻プレートと上記第１側面部材及びＬ字断面部材の足部の内側面との間に挟持されると共に、この上稲妻プレートに溶接止めされる。上記上定規アングル材の水平部分は、上記玄関の外側の天井にボルト止めされている。
【００１０】
上記下金具は、上記第１側面部材及びＬ字断面部材の足部の下端面と内側面との角部に位置する下定規アングル材と、この第１側面部材及びＬ字断面部材の足部の内側面に、それぞれボルト止めされた下稲妻プレートと、上記玄関の外側の床面にボルト止めされたベースアングル材とを備えている。上記下定規アングル材の垂直部分は、上記下稲妻プレートと上記第１側面部材及びＬ字断面部材の足部の内側面との間に挟持されると共に、この下稲妻プレートに溶接止めされる。また上記定規アングル材の水平部分は、上記床面に突設された突条部の上面に搭載され、この定規アングル材の垂直部分は、上記ベースアングル材の垂直部分に溶接止めされる。
【００１１】
上記第１側面部材、第２側面部材、及びＬ字断面部材の外側面には、それぞれ化粧パネルが貼着されているように構成することがより望ましい。
【００１２】
ここで「玄関の扉の側部」とは、玄関の扉を正面から見たときの、この玄関の扉の左脇又は右脇を意味する。「第１側面部材及び第２側面部材の先端面」とは、袖壁を構成する第１側面部材及び第２側面部材において、住居の外側に向かう端面を意味する。「Ｌ字断面部材」とは、この部材を垂直に立てたときの水平断面が、Ｌ字形状をしている部材を意味する。「Ｌ字断面部材の足部」とは、相互に直交してＬ字を構成する２辺のうちの１辺であって、第１側面部材の先端面に対向する１辺を意味する。なおここで、上記足部と直交する他の１辺を腕部と呼ぶことにする。
【００１３】
「第１側面部材の上端部の内側面及びＬ字断面部材の足部の上端部の内側面」の「内側面」とは、第１側面部材及びＬ字断面部材の足部において、袖壁の内部を構成する面を意味する。「上定規アングル」及び「下定規アングル」の「定規アングル」とは、長方形の平板を、長手方向に沿う直線を折り曲げ線として、直角に折り曲げた部材を意味する。「上稲妻プレート」及び「下稲妻プレート」の「稲妻プレート」とは、相互に平行な二面の間を斜めの直線で連結した断面形状を有する部材を意味する。
【発明の効果】
【００１４】
集合住宅の玄関の扉の側部に袖壁を設けることによって、玄関まわりに立体感を醸し出して、一戸住宅のような満足感を与えることができる。
【００１５】
袖壁を軽重量の軽量発泡コンクリートによる組立構造とすると共に、ボルトによって玄関の外側の天井と床面とに取り付け可能とすることによって、取付け及び取外しが容易になる。このため住戸の購入契約後においても、個々の居住者の希望に応じて袖壁を取り付けることができる。また多くの居住者の日々の生活等に多大な影響を与えることなく、短期間に取外しや取替え工事を行なうことができる。
【００１６】
袖壁の外側面に化粧パネルを貼着することによって、玄関まわりを、更に個性豊かに表現することができる。特に色合いやデザインの異なる複数の化粧パネルを準備しておけば、個々の居住者の好みによってカスタマイズすることが可能となる。
【図面の簡単な説明】
【００１７】
【図１】集合住宅の玄関まわりの斜視図である。
【図２】集合住宅の玄関まわりの水平断面図である。
【図３】袖壁の水平断面図である。
【図４】袖壁の垂直断面図である。
【図５】第２側面部材を取り外したときの袖壁の内側の側面図である。
【図６】袖壁の構成例を示す図である。
【図７】従来例による集合住宅の玄関まわりの水平断面図である。
【図８】従来例による他の集合住宅の玄関まわりの水平断面図である。
【発明を実施するための形態】
【００１８】
図１〜図５を参照しつつ、本発明による集合住宅の玄関の袖壁を説明する。さて図１及び図２に示すように、本発明による袖壁１は、共用廊下２に面する住戸３の玄関３１の扉３１ａの左脇に設けられる。すなわち袖壁１は、玄関３１の外側の天井３１ｂと、床面３１ｃとの間において、住戸３の外壁３２に突設されている。
【００１９】
次に図３〜図５に示すように、袖壁１は、それぞれ軽量発泡コンクリートからなる平板状の第１側面部材１１と、この第１側面部材に所定の間隔を隔てて対向する平板状の第２側面部材１２と、これらの第１側面部材及び第２側面部材の先端面１１ａ、１２ａに、それぞれ対向するＬ字断面部材１３とを備えている。第１側面部材１１及びＬ字断面部材１３の上端面１１ｂ、１３ｂは、この第１側面部材の上端部の内側面１１ｃ、及びＬ字断面部材の足部１３ｄの上端部の内側面１３ｃに設けた上金具１４を介して、玄関３１の外側の天井３１ｂにボルト１４ａによって取付けられる。
【００２０】
第１側面部材１１及びＬ字断面部材１３の下端面１１ｅ、１３ｅは、この第１側面部材の下端部の内側面１１ｃ、及びＬ字断面部材の足部１３ｄの下端部の内側面１３ｃに設けた下金具１５を介して、玄関３１の外側の床面３１ｃにボルト１５ａによって取付けられる。第２側面部材１２は、第１側面部材１１の内側面１１ｃと、Ｌ字断面部材１３の足部１３ｄの内側面とに、ボルト１６ａによって固定された四角断面形状の中空パイプからなる中間金具１６を介して、この第２側面部材の外側面から貫通する貫通ボルト１６ｂによって取り付けられる。
【００２１】
次に袖壁１を構成する第１側面部材１１、第２側面部材１２、及びＬ字断面部材１３の組立構造を詳述する。すなわち第１側面部材１１及びＬ字断面部材１３を天井３１ｂに取り付ける上金具１４は、この第１側面部材及びＬ字断面部材の足部１３ｄの上端面１１ｂ、１３ｂと、内側面１１ｃ、１３ｃとの角部に位置する上定規アングル材１４ｂと、この第１側面部材及びＬ字断面部材の足部の内側面に、それぞれボルト１４ｃによって固定された上稲妻プレート１４ｄとを備えている。
【００２２】
図４に示すように、上定規アングル材１４ｂの垂直部分、すなわち第１側面部材１１の内側面１１ｃに平行な部分は、上稲妻プレート１４ｄと、この第１側面部材及びＬ字断面部材１３の足部１３ｄの内側面１１ｃ、１３ｃとの間に挟持されると共に、この上稲妻プレートに溶接止めされる。また上定規アングル材１４ｂの水平部分、すなわち第１側面部材１１の上端面１１ｂに平行な部分は、玄関３１の外側の天井３１ｂに、ボルト１４ａによって取付けられる。
【００２３】
次に第１側面部材１１及びＬ字断面部材１３を床面３１ｃに取り付ける下金具１５は、この第１側面部材及びＬ字断面部材の足部１３ｄの下端面１１ｅ、１３ｅと内側面１１ｃ、１３ｃとの角部に位置する下定規アングル材１５ｂ、この第１側面部材及びＬ字断面部材の足部の内側面に、それぞれボルト１５ｃによって固定された下稲妻プレート１５ｄと、玄関３１の外側の床面３１ｃにボルト１５ａによって固定されたベースアングル材１５ｅとを備えている。
【００２４】
図４に示すように、下定規アングル材１５ｂの垂直部分、すなわち第１側面部材１１の内側面１１ｃに平行な部分は、下稲妻プレート１５ｄと、この第１側面部材及びＬ字断面部材１３の足部１３ｄの内側面１１ｃ、１３ｃとの間に挟持されると共に、この下稲妻プレートに溶接止めされる。また下定規アングル材１５ｂの水平部分、すなわち第１側面部材１１の下端面１１ｅに平行な部分は、玄関３１の外側の床面３１ｃに突設したモルタルによる突条部３１ｄの上面に搭載される。床面３１ｃに固定されたベースアングル材１５ｅの水平部分は、このベースアングル材をこの床面に固定するボルト１５ａの頭部と共に、モルタルによる突条部３１ｄに埋設される。またベースアングル材１５ｅの垂直部分の先端部分は、下定規アングル材１５ｂの垂直部分に溶接止めされる。
【００２５】
なお第２側面部材１２を、第１側面部材１１とＬ字断面部材１３とに取り付けるための中間金具１６は、図５に示すように、上下２本からなる水平部材１６ｃと、この水平部材に溶接結合された垂直部材１６ｄとからなり、それぞれねじ穴１６ｅが形成してある。第２側面部材１２は、ねじ穴１６ｅに螺合する貫通ボルト１６ｂによって、中間金具１６に固定される。
【００２６】
なお図５に示すように、第１側面部材１１及び第２側面部材１２と、住戸３の外壁３２、天井３１ｂ及び床面３１ｃに突設した突条部３１ｄとの隙間には、耐火目地材１７が充填されている。また図示しないが、Ｌ字断面部材１３と、天井３１ｂ及び床面３１ｃに突設した突条部３１ｄとの隙間にも、耐火目地材１７が充填されている。さらに第１側面部材１１及び第２側面部材１２と、Ｌ字断面部材１３との隙間にも、耐火目地材１７が充填されている。
【００２７】
また図３及び図４に示すように、第１側面部材１１、第２側面部材１２及びＬ字断面部材１３の外側面には、それぞれタイル１８が貼着されている。
【００２８】
なお図６に示すように、上述した第１側面部材１１、第２側面部材１２、及びＬ字断面部材１３を、適宜、配列を変更することも容易にでき、あるいはこれらの部材の外側面は、上述したようなタイルを貼る構造のみならず、表面に凹凸模様のある部材としたり、表面の色彩を変えたりすることも容易にでき、様々な組合せパターンを提案することが可能となる。ここで図６（Ａ）は、上述した袖壁１の構造を示しており、図６（Ｂ）に示す袖壁１０１は、第１側面部材１１１、及びＬ字断面部材１１３を、表面に凹凸模様のある部材としたものを示している。また図６（Ｃ）に示す袖壁２０１は、第１側面部材２１１、第２側面部材２１２、及びＬ字断面部材２１３を、図６（Ａ）に示したものと左右逆に配列したものを示しており、さらに図６（Ｄ）に示す袖壁３０１は、また図６（Ｃ）に示す第２側面部材２１２を、表面に波状の凹凸模様のある部材としたものを示している。
【産業上の利用可能性】
【００２９】
共用廊下に面する玄関まわりに、袖壁を容易に取り付け及び取外しができるため、集合住宅に関する産業に利用可能である。
【００３０】
１、１０１〜３０１、５０１      袖壁
１１、１１１〜３１１            第１側面部材
１１ａ                          先端面
１１ｂ                          上端面
１１ｃ                          内側面
１１ｅ                          下端面
１２、１１２〜３１２            第２側面部材
１２ａ                          先端面
１２ｂ                          上端面
１２ｅ                          下端面
１３、１１３〜３１３            Ｌ字断面部材
１３ｃ                          内側面
１３ｄ                          足部
１３ｅ                          下端面
１４                            上金具
１４ａ                          ボルト
１４ｂ                          上定規アングル材
１４ｃ                          ボルト
１４ｄ                          上稲妻プレート
１５                            下金具
１５ａ                          ボルト
１５ｂ                          下定規アングル材
１５ｃ                          ボルト
１５ｄ                          下稲妻プレート
１５ｅ                          ベースアングル材
１６                            中間金具
１６ａ                          ボルト
１６ｂ                          貫通ボルト
１６ｃ                          水平部材
１６ｄ                          垂直部材
１６ｅ                          ねじ穴
１７                            耐火目地材
１８                            （タイル）化粧パネル
２、４０２、５０２              共用廊下
３                              住戸
３１、４３１、５３１            玄関
３１ａ                          扉
３１ｂ                          天井
３１ｃ                          床面
３１ｄ                          突上部
３２、１３２〜５３２            外壁
【図１】
2010285790.tif 000003
【図２】
2010285790.tif 000004
【図３】
2010285790.tif 000005
【図４】
2010285790.tif 000006
【図５】
2010285790.tif 000007
【図６】
2010285790.tif 000008
【図７】
2010285790.tif 000009
【図８】
2010285790.tif 000010